(57)【要約】  包装材料からなるシート（３）を煙草群（２）の周りに折り曲げる包装方法および包装ユニット（１１）であって、包装材料からなる筒状に折り曲げられたシート（３）に包まれた煙草群（２）を受容する第１のポケット（１４）が形成された第１の包装搬送体（１２）と、包装材料からなる筒状に折り曲げられたシート（３）に包まれた煙草群（２）を受容する第２のポケット（２０）が形成された第１の包装搬送体（１２）と、包装材料からなる筒状に折り曲げられたシート（３）に包まれた煙草群（２）を第１のポケット（１４）から第２のポケット（２０）まで移送する移送デバイス（２４）とを備えており、移送デバイス（２４）は、第１のポケット（１４）に配置されていて煙草群（２）の第１の基部壁（４）と係合する押圧器（２６）、および第２のポケットに配置されていて煙草群（２）の第１の基部壁（４）の反対側に位置する第２の基部壁（４）と係合する対向押圧器（２７）を備えていて、移送デバイス（２４）の押圧器（２６）および対向押圧器（２７）のうちの少なくとも一方は、押圧器（２６）および対向押圧器（２７）が煙草群（２）の各基部壁（４）に当接するときに煙草群（２）の側方小壁（６）と係合する側方付属体（２８）をそれぞれ備えていて、包装材料からなる筒状のシート（３）の部位（９）を煙草群（２）の側方小壁（６）へと折り曲げるようになっている、包装方法および包装シートが提供される。
2011529422.tif 000002
【特許請求の範囲】
【請求項１】
包装材料からなるシート（３）を煙草群（２）などの製品の周りに折り曲げる包装ユニットであって、
包装材料からなる筒状に折り曲げられた前記シート（３）に包まれた前記煙草群（２）を受容する第１のポケット（１４）が形成された、第１の包装搬送体（１２）と、
包装材料からなる筒状に折り曲げられた前記シート（３）に包まれた前記煙草群（２）を受容する第２のポケット（２０）が形成された、第２の包装搬送体（１８）と、
包装材料からなる筒状に折り曲げられた前記シート（３）に包まれた前記煙草群（２）を前記第１のポケット（１４）から前記第２のポケット（２０）まで移送する移送デバイス（２４）とを備え、該移送デバイス（２４）は、前記第１のポケット（１４）に配置されていて前記煙草群（２）の第１の基部壁（４）と係合する押圧器（２６）、および前記第２のポケットに配置されていて前記煙草群（２）の前記第１の基部壁（４）の反対側に位置する第２の基部壁（４）と係合する対向押圧器（２７）を備えている、包装ユニットにおいて、
前記移送デバイス（２４）の前記押圧器（２６）および前記対向押圧器（２７）のうちの少なくとも一方が側方付属体（２８）をそれぞれ備えていて、該側方付属体（２８）は、前記押圧器（２６）および前記対向押圧器（２７）が前記煙草群（２）の前記基部壁（４）にそれぞれ当接するときに、煙草群（２）の側方小壁（６）と係合して、包装材料からなる筒状の前記シート（３）の部位（９）を前記煙草群（２）の前記側方小壁（６）へと折り曲げることを特徴とする、包装ユニット。
【請求項２】
前記移送デバイス（２４）の前記押圧器（２６）および前記対向押圧器（２７）が端壁（２９）をそれぞれ備えており、該端壁（２９）の各々は、前記煙草群（２）の各基部壁（４）に対してそれぞれ平行に対面していて、前記煙草群（２）が移送される際に当該基部壁（４）にそれぞれ当接するとともに、対応する２つの前記側方付属体（２８）を側方に配置してなる、請求項１に記載の包装ユニット。
【請求項３】
各側方付属体（２８）が一方の前記端壁（２９）から他方の端壁（２９）に向かってそれぞれ突出する、請求項２に記載の包装ユニット。
【請求項４】
各側方付属体（２８）が長方形の底面を有する平行多面体の形状を概ねなす、請求項１〜３のいずれか１項に記載の包装ユニット。
【請求項５】
各側方付属体（２８）が三角形の底面を有する平行多面体の形状を概ねなす、請求項１〜３のいずれか１項に記載の包装ユニット。
【請求項６】
各側方付属体（２８）が、三角形の底面を有していて先端が切断された角錐形状を概ねなす、請求項１〜３のいずれか１項に記載の包装ユニット。
【請求項７】
各側方付属体（２８）が、前記部位（９）のそれぞれを折り畳んで保持する平坦な折曲げ壁部（３０）を備え、該折曲げ壁部（３０）は、移送方向（２５）に対して平行でかつ煙草群（２）の対応する基部壁（４）に対して直交する、請求項１〜６のいずれか１項に記載の包装ユニット。
【請求項８】
各側方付属体（２８）が、前記部位（９）のそれぞれを折り畳んで保持する平坦な折曲げ壁部（３０）を備え、該折曲げ壁部（３０）は、移送方向（２５）に対して鋭角をなし、かつ前記煙草群（２）の対応する基部壁（４）に対して鈍角をなす、請求項１〜６のいずれか１項に記載の包装ユニット。
【請求項９】
前記側方付属体（２８）は、包装材料からなる筒状の前記シート（３）の開放側方端（８）の折返し片（１０）が前記側方付属体（２８）にわたって折り曲げられうるように形成されており、
前記第２の包装搬送体（１８）は、包装材料からなる筒状の前記シート（３）の前記開放側方端８の前記折返し片（１０）を前記側方付属体（２８）にわたって折り曲げる折曲げデバイス（２２，２３）を備えており、前記側方付属体（２８）は、前記折返し片（１０）が少なくとも部分的に折り曲げられるまで前記煙草群（２）から後退されないようにされた、請求項１〜８のいずれか１項に記載の包装ユニット。
【請求項１０】
包装材料からなるシート（３）を煙草群（２）などの製品の周りに折り曲げる包装方法であって、
包装材料からなる前記シート（３）を前記煙草群（２）の周りにおいて筒体へと折り曲げ、
包装材料からなる筒状に折り曲げられた前記シート（３）に包まれた前記煙草群（２）を第１のポケット（１４）が形成された第１の包装搬送体（１２）により進めて供給し、
包装材料からなる筒状に折り曲げられた前記シート（３）に包まれた前記煙草群（２）を前記第１の包装搬送体（１２）の前記第１のポケット（１４）から第２の包装搬送体（１８）の第２のポケット（２０）まで移送デバイス（２４）により移送することを含み、前記移送デバイス（２４）は、前記第１のポケット（１４）に配置されていて前記煙草群（２）の第１の基部壁（４）と係合する押圧器（２６）と、前記第２のポケットに配置されていて前記煙草群（２）の前記第１の基部壁（４）の反対側に位置する第２の基部壁（４）と係合する対向押圧器（２７）とを備えている、包装方法において、
前記押圧器（２６）および前記対向押圧器（２７）が前記煙草群（２）の各基部壁（４）に当接するときに、前記押圧器（２６）および前記対向押圧器（２７）のうちの少なくとも一方の各側方付属体（２８）により、前記煙草群（２）の側方小壁（６）を係合させ、それにより、包装材料からなる筒状の前記シート（３）の部位（９）を前記煙草群（２）の前記側方小壁（６）へと折り曲げることをさらに含むことを特徴とする、包装方法。
【発明の詳細な説明】
【技術分野】
【０００１】
本発明は、包装材料からなるシートを煙草群の周りに折り曲げる包装方法および包装ユニットに関する。
【背景技術】
【０００２】
通常、煙草の包みは、包装材料（通常、接着剤を含まない箔）からなるシートに包まれた煙草群により形成される内方パッケージと、内方パッケージを内包していて接着剤を用いて固定される外方パッケージとを備えており、外方パッケージは、カップ形であって内包パッケージの周りに折り曲げられた外方包装材料からなるシートにより形成されうるもの（煙草の軟質の包み）、或いは硬質のブランクを内包パッケージの周りに折り曲げて形成された硬質のヒンジ蓋を備えた箱体により形成されうるもの（煙草の硬質の包み）である。
【０００３】
包装材料からなるシートを煙草群の周りに折り曲げるものとして、２以上の包装ホイールを備えた包装ユニットが公知であり、これら包装ホイールは、包装材料からなるシートが折り曲げられる際に煙草群を受容して収容する周囲ポケットをそれぞれ備えている。通常、供給部署において、煙草群は、煙草群の周りにＵ字に折り曲がる包装材料からなるシートとともに第１の包装ホイールのポケットに挿入され、次いで包装材料からなるＵ字に折り曲げられたシートのうちのポケットから突出した２つの折返し片（ｆｌａｐ）が煙草群上方へと折り重ねられて、包装材料からなる筒状のシートを形成する。第１の包装ホイールと第２の包装ホイールとの間の移送部署において、包装材料からなる筒状のシートに内包された煙草群が第１の包装ホイールのポケットから第２の包装ホイールのポケットに移送され、次いで、第２の包装ホイールに取り付けられた折曲げデバイスが、包装材料からなる筒状のシートの折曲げ処理をさらに実行する。
【０００４】
包装材料からなる筒状のシートに内包された煙草群は、煙草群の第１の基部壁に係合する押圧器と、第１の基部壁の反対側に位置する煙草群の第２の基部壁に係合する対向押圧器とを用いて移送される。換言すると、押圧器および対向押圧器は、煙草群が移送される際に、煙草群をそれらの間に把持して、煙草群を一体として堅固に保持する（すなわち、煙草群の形状を変化させうる煙草群における煙草の望ましくない横方向の動きを防ぐ）。しかしながら、これら押圧器および対向押圧器による把持作用にもかかわらず、煙草群が２つの包装ホイールの間を移送される際に、これら煙草群のうちの決して無視できない分量が変形することが分かっており、結果として、これら煙草群は不可避的に廃棄される。
【発明の概要】
【発明が解決しようとする課題】
【０００５】
本発明の目的は、包装材料からなるシートを煙草群の周りに折り曲げる包装方法および包装ユニットであって、実施するのが安価でかつ容易であり、前述した欠点を排除する包装方法および包装ユニットを提供することである。
【課題を解決するための手段】
【０００６】
本発明に従って、添付の特許請求の範囲に記載された、包装材料からなるシートを煙草群の周りに折り曲げる包装方法および包装ユニットが提供される。
【図面の簡単な説明】
【０００７】
【図１】包装材料からなるシートに包まれた煙草群によって形成される煙草パッケージ体の斜視図である。
【図２】図１の煙草パッケージ体を形成するために包装材料からなるシートを煙草群の周りに折り曲げる工程の斜視図である。
【図３】図１の煙草パッケージ体を形成するために包装材料からなるシートを煙草群の周りに折り曲げる工程の斜視図である。
【図４】図１の煙草パッケージ体を形成するために包装材料からなるシートを煙草群の周りに折り曲げる工程の斜視図である。
【図５】明確化のために幾つかの部品を省略した、本発明に従って図１の煙草パッケージ体を製造するための包装ユニットの概略正面図である。
【図６】図５の包装ユニットの２つの包装ホイールの間に位置する移送部署の拡大正面図である。
【図７】図６の移送部署の拡大平面図である。
【図８】明確化のために幾つかの部品を省略した、図６の移送部署の押圧器および対向押圧器の概略斜視図である。
【図９】明確化のために幾つかの部品を省略した、図６の移送部署の押圧器および対向押圧器の概略斜視図である。
【図１０】明確化のために幾つかの部品を省略した、図８および図９の押圧器および対向押圧器の変形例を示す概略斜視図である。
【図１１】明確化のために幾つかの部品を省略した、図８および図９の押圧器および対向押圧器の変形例を示す概略斜視図である。
【発明を実施するための形態】
【０００８】
添付の図面を参照して、本発明の多数の非限定的な実施形態について例示のために説明する。
図１における符号１は、箔の包装材料からなるシート３（図２においてより明確に示される）に包まれた平行多面体の形状の煙草群２（図２に示される）を備えた煙草パッケージ体を全体として指している。包装材料からなるシート３を煙草群２の周りに折り曲げていったんパッケージ体１を形成したら、包装材料からなるシート３の重ね合せ部を接着またはヒートシールしてパッケージ体１の形状を固定する。或いは、例えば外方パッケージ（図示せず）にいずれ挿入されるという理由でパッケージ体１を固定しなくてもよい。
【０００９】
煙草群２は、図２に示されるように、煙草の両端によって両側に形成された２つの基部壁４（図２において一方のみが示される）と、煙草の円柱状の側壁によって両側に形成された２つの側方大壁５（図２において一方のみが示される）と、煙草の円柱状の側壁によって両側に形成された２つの側方小壁６（図２において一方のみが示される）とを備えている。
【００１０】
図２および図３に示されるように、包装材料からなるシート３を煙草群の周りに折り曲げることは、包装材料からなるシート３を煙草群２の周りにＵ字に折り曲げることと、次いでＵ字に折り曲げられた包装材料からなるシート３のうちの基部壁４から突出した２つの折返し片７を互いに重ねて煙草群２の基部壁４へと折り曲げ、それにより、煙草群２の側方小壁６において２つの開放側方端８が形成された包装材料からなる筒状のシート３を形成することとを含んでいる（図３）。包装材料からなる筒状のシート３の開放側方端８の４つの部位９は、図４に示されるように煙草群２の側方小壁６上にまず折り曲げられる。すなわち、包装材料からなる筒状のシート３の開放側方端８において煙草群２の基部壁４と同一平面上に在るこれらの部位９は、煙草群２の側方小壁６へと、煙草群２の基部壁４の横方向の小縁部回りに９０度折り曲げられる。これら部位９がいったん折り曲げられると、包装材料からなる筒状シート３の開放側方端８における他の折返し片１０が、互いに重なるように煙草群２の側方小壁６へと折り曲げられて、包装材料からなるシート３の折曲げが完了し、図１に示されるパッケージ体１を形成する。
【００１１】
図５における符号１１は、包装材料からなる各シート３を各煙草群２の周りに折り曲げて、図１に示されるパッケージ体１を形成するための包装ユニットを全体として指している。包装ユニット１１は、水平方向の回転軸線１３回りに（図５において反時計回りに）段階的に回転するとともに、煙草群２をそれぞれ収容する多数の周囲座部１４を支持する包装ホイール１２を備えている。
【００１２】
供給部署１５において、包装ホイール１２における各ポケット１４は、押圧器１５によりポケット１４まで押圧される煙草群２をそれぞれ受容する。同じく供給部署１５において、必要に応じて接着剤が予め付与された包装材料からなる平坦なシート３が煙草群２の経路に対して直交してポケット１４の入口の前方の位置まで供給され、それにより、煙草群２が包装材料からなるシート３と交差するようになり、したがって、包装材料からなるシート３が煙草群２の周りにＵ字に折り曲がる。
【００１３】
Ｕ字に折り曲げられた包装材料からなるシート３に内包された煙草群２がいったんポケット１４内に挿入されると、Ｕ字に折り曲げられた包装材料からなるシート３のうちのポケット１４から突出する２つの折返し片７が互いに重なるように煙草群２へと折り曲げられ、包装材料からなる筒状のシート３を形成する。より具体的には、包装ホイール１２が停止している間に、可動式折曲げ器１６が後方の折返し片７を煙草群２へと（包装ホイール１２の回転方向と同じ方向に）折り曲げ、そして、包装ホイール１２による次の進行運動の際に、固定された折曲げ器１７が前方の折返し片７を、既に折り曲げられた後方の折返し片７の頂部において煙草群２へと（包装ホイール１２の回転方向に対して反対の方向に）折り曲げる。
【００１４】
包装ユニット１１は、包装ホイール１２に並べて配置された包装ホイール１８を備え、この包装ホイール１８は、包装ホイール１２の回転軸線１３に対して平行な水平方向の回転軸線１９回りに（図５において反時計回りに）段階的に回転するとともに、それぞれ煙草群２を収容する多数の周囲ポケット２０を支持している。２つの包装ホイール１２，１８の間に位置する移送部署２１において、包装材料からなる筒状のシート３にそれぞれ内包された各煙草群２は、包装ホイール１２のポケット１４から包装ホイール１８のポケット２０へと排出される。
【００１５】
包装ホイール１８は、移送部署２１に配置された可動式折曲げ器２２を備えており、この可動式折曲げ器２２は、ポケット２０の両側に２つの折曲げ部材（図５においては一方のみが示される）を備えていて、前後に移動して包装材料からなる筒状のシート３の開放側方端８の後方の折返し片１０を折り曲げる。また、包装ホイール１８は、移送部署２１に配置された固定された折曲げ器２３を備えており、この折曲げ器２３は、ポケット２０の両側に２つの折曲げ部材（図５においては一方のみが示される）を備えていて、包装ホイール１８の段階的な回転がポケット２０を進めるのに従って、包装材料からなる筒状のシート３の開放側方端８の前方の折返し片１０を折り曲げる。
【００１６】
移送部署２１には移送デバイス２４が備え付けられており、この移送デバイス２４は、包装材料からなる筒状のシート３に内包された煙草群２を、回転軸線１３，１９に対して直交する移送方向２５において包装ホイール１２のポケット１４から包装ホイール１８のポケット２０まで移送する。移送デバイス２４は、ポケット１４に（すなわち包装ホイール１２に）配置された押圧器２６を備えており、この押圧器２６は、移送方向２５に移動するように取り付けられるとともに、煙草群２の移送方向２５の上流に配置される基部壁４に係合する。また、移送デバイス２４は、ポケット２０に（すなわち包装ホイール１８に）配置された対向押圧器２７を備えており、この対向押圧器２７は、移送方向２５に移動するように取り付けられるとともに、煙草群２の移送方向２５の下流であって上流の基部壁４の反対側に配置された基部壁４に係合する。
【００１７】
包装材料からなる筒状のシート３に内包された煙草群２を移送するために、押圧器２６および対向押圧器２７は、煙草群２が移送される際に煙草群２をそれらの間に把持する。換言すると、押圧器２６は、移送方向２５に移動して煙草群２の対応する基部壁４に接触し、それと同時に、対向押圧器２７は、移送方向２５の反対方向に移動して煙草群２の対応する基部壁４に接触する。この時点において、押圧器２６および対向押圧器２７は煙草群２をそれらの間において把持しており、これらは一体となって移送方向２５に移動し、煙草群２を包装ホイール１２のポケット１４から包装ホイール１８のポケット２０まで移送する。煙草群２がいったん移送されると、押圧器２６は、移送時の動きの反対方向に移動して、包装ホイール１２のポケット１４の後方のもとの位置に戻る。
【００１８】
移送デバイス２４の押圧器２６および対向押圧器２７は、それぞれ側方付属体２８を備えており、これら側方付属体２８は、押圧器２６および対向押圧器２７が煙草群２の各基部壁４にそれぞれ当接するようになる際に煙草群２の側方小壁６と係合し、したがって、包装材料からなるシート３の部位９を煙草群２の側方小壁６へと折り曲げる。より具体的には、移送デバイス２４の押圧器２６および対向押圧器２７はそれぞれ端壁２９を備えており、これら端壁２９は、それぞれ煙草群２の基部壁４に対して平行に対面していて、移送の際に各基部壁４にそれぞれ当接するとともに、対応する２つの側方付属体２８を側方に配置するようになる。各側方付属体２８は、それ自体の端壁２９から他方の端壁２９に向かって突出している。
【００１９】
図８および図９の実施形態において、各側方付属体２８は、長方形の底面を有する平行多面体の形状をなしていて、移送方向２５に対して平行でかつ煙草群２の対応する基部壁４に対して直交していて（すなわち対応する端壁２９に対して直交する）各部位９を折り畳んで保持する平坦な折曲げ壁部３０を備えている。図示されていない異なる実施形態において、各側方付属体２８は、三角形の底面とその斜辺に沿った折曲げ壁部３０とを有する平行多面体の形状をなしている。
【００２０】
図１０および図１１の変更例において、各側方付属体２８は、三角形の底面とその斜辺に沿った折曲げ壁部３０とを有する、先端が切断された角錐形状を概ねなしている。この場合、各部位９を折り畳んで保持する折曲げ壁部３０は平坦であって、移送方向２５に対して鋭角をなし、かつ煙草群２の対応する基部壁４に対して鈍角をなしている（すなわち対応する端壁２９に対して鈍角をなしている）。
【００２１】
押圧器２６および対向押圧器２７の動きは、可動式押圧器２２および固定式押圧器２３の動作と時間合せされ、それにより、付属体２８が部位９から離脱するときに、折曲げ器２２，２３が包装材料からなる筒状のシート３の開放端部８を折曲げ部位９にわたって折り曲げて、部位９が復元するのを防いでいる点に留意することが重要である。代替的な実施形態において、付属体２８は、包装材料からなる筒状のシート３の開放側方端８の折返し片１０が付属体２８にわたって折り曲げられうるように形成されており、この場合、包装材料からなる筒状のシート３の開放側方端８の折返し片１０は、付属体２８にわたって折り曲げられ、これら付属体２８は、折返し片１０が少なくとも部分的に折り曲げられるまで煙草群２から後退されない。
【００２２】
説明した好適な実施形態において、包装材料からなる各シート３は煙草群２の周りに折り曲げられる。図示されない異なる実施形態において、これら煙草群２は、平行多面体の形状をなした任意の製品、例えば食品のパッケージ体により置き換えられうる。
【００２３】
説明した包装ユニット１１は多くの利点を有している。特に、この包装ユニット１１は、主要でない箇所のみを変更することによって安価で容易に製造でき、これらの変更は類似の公知の包装ユニットから容易に実施できる。さらに、説明した包装ユニット１１において、煙草群２は、煙草群２が包装材料からなる筒状のシート３に内包されて移送される際にも側方付属体２８によって側方において保持されるので、煙草群２が２つの包装ホイール１２，１８の間を移送される際に変形ないし位置ずれを生じない。最後に、側方付属体２８が在るために、煙草群２が２つの包装ホイール１２，１８の間において移送される際に、包装材料からなる筒状のシート３の部位９が煙草群２へと折り曲げられる。このことは、包装材料からなる筒状のシート３の部位９のための特定の折曲げ器を包装ホイール１８に備え付ける必要がないことを意味していて、したがって、包装ホイール１８のデザインが大きく簡略化される。
【図１】
2011529422.tif 000003
【図２】
2011529422.tif 000004
【図３】
2011529422.tif 000005
【図４】
2011529422.tif 000006
【図５】
2011529422.tif 000007
【図６】
2011529422.tif 000008
【図７】
2011529422.tif 000009
【図８】
2011529422.tif 000010
【図９】
2011529422.tif 000011
【図１０】
2011529422.tif 000012
【図１１】
2011529422.tif 000013
【国際調査報告】
2011529422.tif 000014
2011529422.tif 000015
2011529422.tif 000016